(57)【特許請求の範囲】
【請求項１】
家具本体にヒンジ接続されたフラップ(15)を回転させるための回転嵌合具であって、
本体壁に接続され得るハウジングに固定されるエネルギー蓄積器(2)と、フラップ(15)に接続されてエネルギー蓄積器(2)に作動可能に接続された連結レバー(12)とを備えた回転嵌合具において、
前記エネルギー蓄積器(2)は、固定されているがハウジングに対して回転可能でありカムディスク(7)を有する制御要素(6)に接続され、制御要素は一方がハウジングに保持され他方がフラップ(15)に固定可能な連結レバー(12)に、動きに従属するように接続されて、連結レバー(12)が回転するときは回転し、
エネルギー蓄積器(2)は一方の回転端部位置では張力が掛り、エネルギー蓄積器(2)は他方の回転端部位置では一方の回転端部位置に比して緩和され、カムディスク(7)はカーブの半径が変化する制御輪郭(10)を有し、該制御輪郭(10)にエネルギー蓄積器(2)が接続され、
前記制御要素(6)はカムディスク(7)に対して固定されたピニオン(8)を有し、ギアを介して連結レバー(12)に係合し、
前記エネルギー蓄積器(2)は、可撓性の牽引手段(4)によってカムディスク(7)に留められ、
ベルト、チェーン、歯付きベルト、ケーブルとして形成される牽引手段(4)は、前記カムディスク(7)の制御輪郭(10)上に載る、回転嵌合具。
【請求項２】
前記ピニオン(8)は、連結レバー(12)に留められた歯車ホィールセグメント(13)と噛み合う、請求項１に記載の回転嵌合具。
【請求項３】
前記ピニオン(8)及びカムディスク(7)は、片側がハウジングに固定された回転ピン(9)上に回転可能に取り付けられた、請求項１又は２に記載の回転嵌合具。
【請求項４】
前記エネルギー蓄積器(2)は、本体壁に固定するように接続されたハウジングに、回転可能に取り付けられる、請求項１乃至３の何れかに記載の回転嵌合具。
【請求項５】
前記制御輪郭(10)は、フラップ(15)の閉位置に於ける制御要素(6)上のエネルギー蓄積器(2)によって生成されるトルクの方向が、フラップ(15)の開位置に於けるトルクの方向とは逆になるように形成されている、請求項１乃至４の何れかに記載の回転嵌合具。
【請求項６】
前記制御輪郭(10)は、フラップ(15)が全開位置と全閉位置の間の少なくとも１つの位置にて、均衡を保つように形成される、請求項１乃至５の何れかに記載の回転嵌合具。
【請求項７】
牽引手段(4)は、一方の回転端部位置と、他方の回転端部位置の間を延びる、請求項１乃至６の何れかに記載の回転嵌合具。
【請求項８】
前記連結レバー(12)は４つの要素から形成された、請求項１乃至７の何れかに記載の回転嵌合具。
【請求項９】
前記エネルギー蓄積器(2)は、少なくとも１つの引張りバネ(14)を備える、請求項１乃至８の何れかに記載の回転嵌合具。
【請求項１０】
前記制御輪郭(10)の経路は、フラップ(15)が各回転位置にて支持なしで位置するように形成されている、請求項１乃至９の何れかに記載の回転嵌合具。
【発明の詳細な説明】
【技術分野】
【０００１】
本発明は、家具本体にヒンジ接続されたフラップを回転させるための回転嵌合具に関する。
【背景技術】
【０００２】
そのような回転嵌合具は、一方でフラップを水平軸の周りに回転させて自動的に開位置に保持し、他方では閉位置に固定するために使用され、その目的のために、通常は引張りばねであるエネルギー蓄積器の力によって家具本体の関係する縁に引っ張られる。
そのような回転嵌合具はドイツ実用新案公報296 05 551に記載されている。この場合、引張りばねとして形成されたエネルギー蓄積器は、レバー装置に係合し、レバー装置は、一方が本体壁に、他方がフラップに固定され、引張りばねは、フラップを展開位置に保持し、且つ閉位置にて家具本体に引っ張る。
【０００３】
しかし、この場合、フラップの回転中に、フラップを引張りばねの力に抗して保持するためにはフラップは手動で案内されなければならず、上述したようにフラップが引張りばねによって保持されている開位置を除いて、フラップは、そうでなければフラップが常に閉位置に引っ張られるという問題がある。
フラップの回転中の取り扱いは、フラップがほぼ制動されない(unbraked)状態でその閉位置に引っ張られ、それにより、大幅に低減されていない張力で家具本体に押し付けられるという点で問題がある。
【０００４】
救済措置を提供するために、減衰装置の使用がドイツ国特許出願公開第20 2005 016 375号に提案されており、これにより家具本体のフラップの閉鎖工程又は打撃が減衰される。
保持の問題が旋回中に解決されないという事実とは無関係に、既知の回転嵌合具は、特に必要なレバー運動学に関して多数の構成要素でしか実現できず、かなりの製造コストにつながるだけでなく、個々の回転嵌合具の取付けをより困難にしている。
【０００５】
また、異なる構成は、特に十分な耐用年数に関して不利であるとみなされるべきであり、異なる構成を用いて、言わばフラップの強制案内が達成され、カムが制御カムに対応して使用され、カムはばね付勢されている。
必然的に高いばね力のために、連続移動に関与する構成要素は、比較的高い摩擦および高い面圧を受け、カムの制御輪郭またはその上を案内されるローラに損傷をもたらす可能性がある。これは明らかに容認できないものであり、特に回転嵌合具の機能が損なわれ、最悪の場合に交換する必要があるからである。
【０００６】
本発明の目的は、その機能的能力、即ちフラップを回転させるときの操作の利便性が改善され、耐用年数が延長され、必要な構成要素の数が生産コストを削減するために削減される一般タイプの回転嵌合具をさらに開発することである。更に、システムの摩擦が大幅に低減され、同様に設計されたフラップには低いばね力が必要であることも目的とする。
この目的は、請求項１の特徴を有する回転嵌合具によって達成される。
【発明の概要】
【０００７】
新規性のある回転嵌合具は先ず、比較的少ない要素、即ち従来技術の回転嵌合具に用いられるのに比して、可成り少ない要素にて機能的に済むことが出来ることを特徴とし、生産時間が短くなるのと同様に材料の経済的な使用の結果、生産コストが低下し、そのような回転嵌合具が大量に連続した人工物として用いられる限り重要である。
【０００８】
レバー装置は、それ自体公知の４本のバーのチェーンによって形成され、レバー装置の動きはエネルギー蓄積器に対応して制御要素によって支持される。しかし、原則として全ての他のレバー装置もシステムに支持され得る。
【０００９】
この場合、エネルギー蓄積器、好ましくは引張りバネ又は引張りバネブロックの力が、制御要素によってレバー装置、即ち連結レバーに付与され、フラップは自動的に回転位置の所定範囲に残り、即ち均衡を保つ。全閉位置の前又は全開位置の回転範囲にて、フラップは自動的に閉じ又は開く。
【００１０】
本発明の更なる概念に従って、制御要素は回転可能なカムディスクを有し、該カムディスクは制御輪郭を有して該制御輪郭上に可撓性の牽引手段が載り、該可撓性の牽引手段はカムディスクに取り付けられ、エネルギー蓄積器の延長部を形成する。
この場合、別の面ではベルト、チェーン、歯付きベルト、ケーブル等から構成される牽引手段の接続は、カムディスク上で生じ、フラップの閉位置において回転方向に対するエネルギー蓄積器の力の方向は制御要素を搬送する回転ピンの軸上に位置し、開位置において軸の下方に位置し、その結果、制御要素の別々の回転方向が支持される。
この構成により、フラップが回転するときに、個々の端部位置に達する直前に回転運動が補助されることを確実にする。
【００１１】
本発明の更なる概念に従って、制御手段はカムディスクに加えて、ここではピニオンとして形成される少なくとも１つの更なるギア部を備え、カムディスクに対して回転可能に固定されるように保持される。このピニオンは連結レバーに固定的に接続された歯付きのホィールセグメントを好ましくは備えた更なるギア要素と協働する。この場合、ピニオンとカムディスクは共通の回転軸の周りを回転し、回転軸は片側を保持された回転ピンによって形成される。好ましくは、２つの対向する回転ピンが配備され、該回転ピンの回転軸は整列されて、前側に互いに距離をおいて配置され、ピニオンは１つの回転ピンに取り付けられ、カムディスクは他方の回転ピンに取り付けられる。
【００１２】
上記の如く、新規性のある回転嵌合具は各回転位置にてフラップの自由支持を維持する。この目的から、カムディスクの制御カムの曲率半径はカーブの途中で変化し、フラップの回転位置に応じて変化し、カムディスク又はエネルギー蓄積器に作用するトルクに適応される。この場合において、フラップの各回転位置にて異なるトルクは、フラップの重さと制御要素の回転軸から制御輪郭の変化する距離から生じるレバーアームの変化によって本質的に決定される。
本発明の更に有利な実施形態は、従属項にて特徴付けられる。
【図面の簡単な説明】
【００１３】
本発明の例示的な実施形態が、添付の図面を参照して以下に記載される。
【図１】側面図において異なる位置の本発明に従った回転嵌合具を示す。
【図２】側面図において異なる位置の本発明に従った回転嵌合具を示す。
【発明を実施するための形態】
【００１４】
図には、家具本体(図示せず)にヒンジ結合されたフラップ15を回転させるための回転嵌合具が示されており、回転嵌合具の機能部分の一部は、家具本体の本体壁に設けられ、接続部分を形成するハウジング内に配置され、該ハウジングのハウジング部分1が示されている。
ハウジングが留められた本体壁及びハウジング部分を省略することにより、図は家具本体及びハウジング内を外側から見た図を事実上示し、回転ピン9の片側がハウジング部分(図示せず)上に固定されて配置される。
【００１５】
エネルギー蓄積器2は、ハウジング内で保持されて、回転軸3の周りに回転可能であり、従って固定的に、即ち間接的に本体壁(図示せず)に固定される。
エネルギー蓄積器2は、互いに平行に配置された３つの引張りバネ14を備えたバネブロックのこの例で構成され、中央に接続された牽引手段4を介して制御要素6に接続されている。牽引手段4は、エネルギー蓄積器2の有効軸16の延長を形成する。引張りバネ14の代わりに、他の適切なエネルギー蓄積器、例えば 撓みを伴う圧縮バネ、ねじりバネ、ローラバネ等が用いられ得る。
【００１６】
制御要素6は、回転可能であるがハウジングに対して静止しており、動きに従属するように、レバー装置11の連結レバー12に接続されており、レバー装置11は、４本のバーチェーンとして形成されており、連結レバー12は、一方はフラップ15に保持され、他方ではハウジング内で回転可能に保持される。
制御要素6は、ピニオン8と共にカムディスク7を有し、ピニオン8とカムディスク7は回転ピン9上に互いに回転可能に固定されるように取り付けられている。
【００１７】
牽引手段4は、カムディスク7の制御輪郭10上に置かれ、接続要素5によって留められる。ピニオン8は次に、歯車ホィールセグメント13の歯に係合し、該歯車ホィールセグメント13は連結レバー12に回転可能に固定され、具体的には、ハウジング内の回転軸の領域内に回転可能に固定されている。
【００１８】
図１は、フラップ15の閉位置を示す。図２に示す開位置の方向への回転中、フラップ15が平行に変位すると、連結レバー12はねじれ、歯車ホィールセグメント13の歯が係合するピニオン8の制御要素6も捩られる。エネルギー蓄積器2は閉鎖位置にあり、即ち引張りバネ14は引っ張られる。
【００１９】
この場合、接続要素5を介してカムディスク7に固定された牽引手段4は、回転ピン9の軸線上に位置して、連結レバー12の回転方向に見て、ピニオン 8は反時計回り方向に付勢される。これによりフラップ15の閉鎖中に歯車ホィールセグメント13が時計回りに回転され、家具本体に押し付けられる。
【００２０】
フラップ15が上方に回転されると、制御要素6は反対方向、すなわち時計回りに回転される。エネルギー蓄積器2の引張り力とカムディスクの幾何学的形状の結果として、すなわち制御輪郭10の経路の結果として、かつ回転ピン9の軸からの距離が変化する結果として、エネルギー蓄積器の移動経路の速度は、レバー装置11の一定の角速度に応じて変化する。
レバー装置11又はフラップ15の各位置において、エネルギー蓄積器2の引張り力及び回転ピン9からの制御輪郭10の距離に起因する変動トルクは、従ってフラップ15の自由支持を確実にする。
【００２１】
図２において特に明瞭に見ることができるように、牽引手段4はカムディスク7の側部上で回転ピン9に対向して位置し、それは回転方向よりも下側、即ちフラップ15の閉位置の反対側である。
フラップ15(図１)の閉位置では、エネルギー蓄積器2が引っ張られるが、フラップ15(図２)の開位置において比較的緩和されていることが明確に判る。同時に、有効軸16は、回転ピン9の回転軸に対してその位置を変える。
吊り金具の意味において、回転ピン9が片側に保持される結果、カムディスク7を捩ることにより、牽引手段4は各端部位置に邪魔されることなく、案内される。
【符号の説明】
【００２２】
１    ハウジング部分
２    エネルギー蓄積器
３    回転軸
４    牽引手段
５    接続要素
６    制御要素
７    カムディスク
８    ピニオン
９    回転ピン
１０  制御輪郭
１１  レバー装置
１２  連結レバー
１３  歯車ホィールセグメント
１４  引張りバネ
１５  フラップ
１６  有効軸
【図１】
0006734859.tif 000002
【図２】
0006734859.tif 000003